(57)【要約】【課題】出先などでとっさに入れ物が必要になったときなどに、緊急にバッグとして使用できるよう工夫されたチャックつき衣類を提供することが本発明の課題である。【解決手段】基礎体１の最下部にチャック２を取り付けることによって、基礎体１全体を袋状に形成してバッグとして使用できるようにする。基礎体としては、ワイシャツ、Ｔシャツ、ランニングシャツ、半そでシャツ、長袖シャツ、ベスト、コート、ジャンパー等、上着衣類ならなんでも応用することができる。またチャック２を取り外し式にして、通常の衣類に取り付けて使用することもできるさらにチャックをマジックテープ、ホックなどでも代用可能である。【選択図】図１
2010013781.tif 000002
【特許請求の範囲】
【請求項１】
Ｔシャツあるいはランニングシャツなどのような袖のない衣類の最下部にジッパーを取り付け、このジッパーを閉じることによって袋状に形成し、衣類の肩部分をそのまま持ち手とすることができるバッグに変形自在な衣類。
【請求項２】
請求項１の基礎的なアイデアに付け加え、衣類の肩の部分を中央部分から切り離すことができ、また取り付け自在なように着脱具を設置することによってそのまま肩に掛け、リュックとして使用できるようにしたバッグに変形自在な衣類。
【請求項３】
請求項１のアイデアに対して、基礎となる衣類を長袖の衣類に替え、袖部分をホックあるいはマジックテープなどによって衣類背面の腰部に固定することによりリュックの肩掛け部分とすることができるバッグに変形自在な衣類。
【請求項４】
請求項１から３のアイデアに対して、基礎となる衣類をＴシャツあるいはランニングシャツ以外の、例えばベスト、コート、ジャンパー、シャージ等の体前面が開く形状の衣類に適用したバッグに変形自在な衣類。
【請求項５】
請求項１から４のアイデアに付け加え、衣類側面にサイズ変更用の紐（シャーリング）を取り付け、衣類モードの際もバッグモードの際にも使用できるサイズ変更可能なバッグに変形自在な衣類。
【請求項６】
請求項１から５のアイデアに付け加え、これを裏返しても使用可能にしたリバーシブルなバッグに変形自在な衣類。
【発明の詳細な説明】
【技術分野】
【０００１】  本発明は、衣類の最下部にジッパーやマジックテープなどを取り付けることにより、衣類の最下部を閉じて袋状に形成できるようにし、衣類としても使用でき、バッグとしても使用できるようにしたものである。
【背景技術】
【０００２】  従来より衣類の一部に工夫を加えて袋状に形成し、鞄やハンドバッグとして使用できるようにする発明はあった。例えば、特願平６−５１８０４５に見られるように、ベストをチャックにより閉じて袋状に形成するものがあった。従ってこういった発明の有用性及び実用性は明らかである。
【特許文献】特願平６−５１８０４５
【発明の開示】
【発明が解決しようとする課題】
【０００３】  しかしこの従来例では、製作時における衣類のデザインがかなり限定され、製作者のデザインにおける自由度が極端に狭いものであった。そのため発明されても実際製作され、使用されることは稀であった。
【課題を解決する手段】
【０００４】  その問題点を解決するため、本発明では袋状に形成する手段として、衣類最下部にジッパーを取り付けるにとどめた。
【発明の効果】
【０００５】  このようなシンプルなアイデアを用いることによって、その他の部分でのデザインの自由度が保たれ、製作者は好みのファッション性を追求することができる。それはすなわち利用者において、老若男女や季節を問わず使用可能に製作することができ、またスポーツ、レジャー、作業その他、服地を替えることでさまざまな用途に使用することができる。
また着用にあたって邪魔になることがなく、利用者は本発明をあまり意識することなく使用することができる。そのことで逆に、緊急時の使用の必然性が高まる。
さらに近年、エコロジーの観点からスーパーやコンビニエンスストアなどのビニール袋の使用が問題になっているが、本発明を用いることによって、エコバッグをわざわざ持ち運ぶ手間が省け、利用者はいつでも好きなときにエコバッグとして使用することができる。
以下、本考案の実施の形態について説明する。
【実施例１】
【０００６】  本発明の基本的な形状は、図１に見るように、ランニングシャツなどの袖のない衣類（基礎体１）の最底辺２にジッパーあるいはマジックテープまたはホックなどの締着具を取り付け、開閉可能によることにより、開いたときは衣類として使用（衣類モード）し、閉じたときはバッグとして使用（バッグモード）できるようにしたものである。
バッグモードの際には、衣類の肩部分３がそのまま持ち手となる。
【実施例２】
【０００７】  上記の説明は手提げ袋としての使用例だが、肩部分が充分な長さを保つように製作された衣類で、かつ図４の肩部分４に見るように中央部分から切り離し可能な取り外し具を備えることによって、肩へ掛けやすくなり、リュックとしての使用もできる。
【実施例３】
【０００８】  また使用する基礎体は袖のない衣類に限らず、長袖の衣類にも適用できる。その場合は図７に見るように、長袖の先端５にホックやマジックテープなどの締着具を設置し、受け部分６は衣類背面の腰部に設置し、５と６を固定することにより、長袖部分７を肩掛け部分とし、リュックとして使用し、あるいは長袖部分７を持ち手として手提げ袋として使用することができる。
【実施例４】
【０００９】  本発明はまた図９に見るように、ベスト、コート、ジャンパー、シャージ等の体前面が開く形状の衣類にも適用することができる。その場合にも、衣類最底辺にジッパー等の締着具を取り付け、袋状に形成することによってバッグまたはリュックとして使用することができる。
【実施例５】
【００１０】  また本発明の体側面にシャーリングと呼ばれる紐を取り付けることによって、衣類モード、バッグモードのどちらにおいても自由にサイズの変更が可能である。
シャーリングは図１０に見るように、衣類の体側面部に布地８を縫い付けることによって、衣類本体との間に空洞を生じさせ、そこに紐９を通したもので、巾着袋などの口を縛る手段となる紐を、サイズ変更の手段として適用したものである。
【図面の簡単な説明】
【図１】本発明の実施例１の正面図。
【図２】本発明の実施例１の使用状態を示す斜視図。
【図３】本発明の実施例１の底面図。
【図４】本発明の実施例２の正面図。
【図５】本発明の実施例２の上面図。
【図６】本発明の実施例２の使用状態を示す側面図。
【図７】本発明の実施例３の正面図。
【図８】本発明の実施例３の使用状態を示す側面図。
【図９】本発明の実施例４の正面図。
【図１０】本発明の実施例５の正面図。
【符号の説明】
１シャツ本体
２シャツ最下部
３チャック
４ランニングシャツの肩部分の取り外し具
５長袖先端の締着具のオス側
６長袖衣類背面腰部の締着具のメス側
７長袖本体
８衣類の体側面部に縫い付けた布地
９紐（シャーリング）
【図１】
2010013781.tif 000003
【図２】
2010013781.tif 000004
【図３】
2010013781.tif 000005
【図４】
2010013781.tif 000006
【図５】
2010013781.tif 000007
【図６】
2010013781.tif 000008
【図７】
2010013781.tif 000009
【図８】
2010013781.tif 000010
【図９】
2010013781.tif 000011
【図１０】
2010013781.tif 000012